(57)【特許請求の範囲】
【請求項１】
こまと、そのこまを回転させるために保持するハンドルと、こまに回転力を与えるためのプルとからなり、前記こまは、円板の中心上下に軸を備えた上部材と、その上部材の下面側に前記軸に嵌合して取り付けられた下部材と、前記上部材の上面側の軸に形成した角柱部分に嵌合して取り付けられたギヤを有しており、前記ハンドルは、指でつかむための取手部分と、その先端に互いに平行に形成された上支持板及び下支持板と、その上支持板及び下支持板の間の根元に直角に形成された面と、その面の両端近傍に形成されたプル支持用の突起と、前記上支持板に形成され、前記こまの上面側の軸の先端を回転可能に保持する軸支持穴と、前記下支持板に形成され、前記こまのギヤを挿入可能なギヤ挿入開口と、前記上支持板及び下支持板の先端を一定間隔に保つように連結する連結部と、前記下支持板の先端に形成され、前記こまの上部材の円板の外周近傍の上面を支持可能な突起を有しており、前記プルは、前記こまのギヤに噛み合うラックを備えると共に、そのラックを前記ハンドルに保持されたこまのギヤと前記ハンドルのプル支持用の突起との間に位置させ且つ前記ラックをギヤに噛み合わせた状態で引き抜き可能であることを特徴とするこま玩具。
【発明の詳細な説明】
【０００１】
【発明の属する技術分野】
本発明は、こまを回して楽しむことができるこま玩具に関する。
【０００２】
【従来の技術】
従来、こまの軸にギヤを取り付け、そのこまをホルダーに回転可能に保持させ、そのこまのギヤにラックを噛み合わせ、そのラックを引き抜くことでこまを回転させ、同時にホルダーから下方に落下させ、床面上でこまを回して楽しむこま玩具が知られている。
【０００３】
【発明が解決しようとする課題】
しかしながら、従来のこま玩具では、こまの構造が複雑であったり、こまに取り付けているギヤがこまの軸に対してから回りしてこまが回らないとか、ラックを引き抜く時、摩擦抵抗が大きくて引き抜きにくいとか、ホルダーに保持されたこまが傾いてうまく回らないことがあるといった問題があった。
【０００４】
本発明はかかる問題点に鑑みてなされたもので、誰でもこまをうまく回して楽しむことができる簡単な構造の、安価なこま玩具を提供することを目的とする。
【０００５】
【課題を解決するための手段】
本発明のこま玩具は、こまと、そのこまを回転させるために保持するハンドルと、こまに回転力を与えるためのプルとからなるものである。そして、前記こまを、円板の中心上下に軸を備えた上部材と、その上部材の下面側に前記軸に嵌合して取り付けられた下部材と、前記上部材の上面側の軸に形成した角柱部分に嵌合して取り付けられたギヤを有する構成とし、前記ハンドルを、指でつかむための取手部分と、その先端に互いに平行に形成された上支持板及び下支持板と、その上支持板及び下支持板の間の根元に直角に形成された面と、その面の両端近傍に形成されたプル支持用の突起と、前記上支持板に形成され、前記こまの上面側の軸の先端を回転可能に保持する軸支持穴と、前記下支持板に形成され、前記こまのギヤを挿入可能なギヤ挿入開口と、前記上支持板及び下支持板の先端を一定間隔に保つように連結する連結部と、前記下支持板の先端に形成され、前記こまの上部材の円板の外周近傍の上面を支持可能な突起を有する構成とし、更に、前記プルを、前記こまのギヤに噛み合うラックを備えると共に、そのラックを前記ハンドルに保持されたこまのギヤと前記ハンドルのプル支持用の突起との間に位置させ且つ前記ギヤに噛み合わせた状態で引き抜き可能な構成としている。
【０００６】
本発明は上記構成により、こまをハンドルに保持させ、そのこまのギヤにプルのラックを噛み合わせ、その状態でプルを引き抜くという操作を行うことにより、こまを回転させると共にそのこまをハンドルから外し、床面、机上面等の平坦面の上に下ろして回転させることがのて、こまを簡単の操作で回して楽しく遊ぶことができる。
【０００７】
ここで、前記したように、円板の中心上下に軸を備えた上部材に対してその軸を基準として下部材及びギヤを取り付けてこまを構成したことにより、各部品を正確に同心状に組み立てることができ、従ってこまの重心を正確にこまの中心軸線上に位置させることができ、良く回るこまを作ることができる。また、ギヤを軸に形成した角柱部分に嵌合する構成としたことにより、ギヤが軸に対して空回りすることがなく、ギヤからこまに回転を確実に伝達できる。更に、こまを構成する各部品は簡単な形状であるので、成形等によって容易に且つ安価に製造できる。また、本発明に使用するハンドルは、こまを保持するための上支持板及び下支持板を先端側で一定間隔に保持するよう連結部で連結したことで剛性が高くなり、こまを一定の姿勢に保つことができる。また、こまのギヤにラックを噛み合わせた時、ラックがギヤをハンドルの先端方向に押すこととなり、このため、こまは上支持板に支持された軸先端を中心として前方に傾こうとするが、下支持板先端に形成している突起が、こまの上部材の円板の外周近傍の上面を支えるので、こまの傾きが抑制される。これによってもこまを一定の姿勢に保つことができ、プルの引き抜きによってこまをスムーズに回転させることができる。更に、プルのラックをこまのギヤに噛み合わせた状態でプルを引き抜いてこまを回転させる際、そのラックの背面はハンドルに形成しているプル支持用の突起で支持されており、このため、点接触に近い状態で支持されるため、プル引き抜き時の抵抗が小さく、容易にプルを引き抜いてこまを高速で回転させることができる。
【０００８】
【発明の実施の形態】
以下、図面に示す本発明の実施例により本発明を更に詳細に説明する。
図１は本発明の一実施例によるこま玩具の概略斜視図、図２はそのこま玩具を、こまを回す時の状態で示すもので、（ａ）は概略平面図、（ｂ）は概略断面図、（ｃ）は（ｂ）のＡ−Ａ矢視概略断面図である。全体を参照符号１で示すこま玩具は、こま１０と、そのこま１０を回転させるために保持するハンドル２０と、こま１０に回転力を与えるためのプル３０とからなる。以下、各部品を詳細に説明する。
【０００９】
こま１０は、図３に示す外形のものであり、図４に分解して示すように、上部材１１と、下部材１２と、ギヤ１３と、適当な絵柄、模様、説明文等を印刷した円形紙１４等からなる。上部材１１は、図５にも示すように、円板１１ａの中心上下に軸１１ｂ、１１ｃを一体に形成したものであり、上側の軸１１ｂは円板に接する部分にギヤ１３を取り付けるための角柱部分１１ｄを備えている。この角柱部分１１ｄとして、この実施例では四角形断面のものを示しているが、三角形断面或いは五角形以上の多角形断面としてもよい。円板１１ａの上面には円形の平坦面１１ａａが形成されており、その平坦面１１ａａに円形紙１４を貼り付けるようになっている。また、円板１１ａの周縁部には、好ましい意匠を形成するように適当な凹凸や模様が形成されている。周縁部に形成する凹凸や模様は任意であり、種々変更可能である。図７はいろいろな周縁部を備えた上部材の例を示すものであり、上部材１１Ａ、１１Ｂ、１１Ｃ、１１Ｄ、１１Ｅが示されている。
【００１０】
図４において、下部材１２は、上部材１１の下面側に、軸１１ｃに嵌合して取り付けられるもので、図６にも示すように、球面状の下面１２ａの下端中心に回転中心となる突起１２ｂを有し、且つ内面（上面）に上部材１１の軸１１ｃを挿入させるための環状突起１２ｃを有している。この下部材１２を上部材１１に取り付けるには、環状突起１２ｃに軸１１ｃを嵌合させると共に、両者を適当な接着剤で接合する。また、必要に応じ、下部材１２の上端と上部材１１の円板１１ａの下面との接触面を接着剤で接合するようにしてもよい。なお、この実施例では軸１１ｃ及び環状突起１２ｃの穴を円形断面としているが、両者の回転止めを図るために、角形断面としてもよい。
【００１１】
図４において、ギヤ１３は中心に、上部材１１の上面側の軸１１ｂに形成した角柱部分１１ｄに嵌合するための角形断面の貫通穴１３ａを備えている。このギヤ１３も角柱部分１１ｄに嵌合させると共に接着剤によって固定される。
【００１２】
こま１０は、上記した上部材１１の上下の軸１１ｂ、１１ｃにそれぞれ、ギヤ１３、下部材１２を嵌合し、接着剤で固定して組み立てられ、この構成の採用により、各部材を正確に同心状に組み立てることができる。従って、このこま１０は、重心が正確にこまの中心軸線上に位置しており、良く回る。また、ギヤ１３を軸１１ｂの角柱部分１１ｄに嵌合させたことにより、ギヤ１３の回転を上部材１１に確実に伝達できる。更に、こま１０を構成する上部材１１、下部材１２、ギヤ１３は簡単な形状であるので、樹脂（例えば、ＰＰ、ＰＥ、ナイロン、ＰＯＭ、ＡＢＳ等）の成形等によって容易に且つ安価に製造できる。
【００１３】
図１、図２及び図８において、ハンドル２０は、樹脂（例えば、ＰＰ、ＰＥ、ナイロン、ＰＯＭ、ＡＢＳ等）の成形等によって一体構造に作られたものである。このハンドル２０は、指でつかむための取手部分２１と、その先端に互いに平行に形成された上支持板２２及び下支持板２３と、その上支持板２２及び下支持板２３の間の根元に直角に形成された面２４と、その面の両端近傍に形成されたプル支持用の突起２５と、上支持板２２に形成され、こま１０の上面側の軸１１ｂの先端を回転可能に保持する軸支持穴２６と、下支持板２３に形成され、こま１０のギヤ１４を挿入可能なギヤ挿入開口２７と、上支持板２２及び下支持板２３の先端を一定間隔に保つように連結する連結部２８と、下支持板２３の先端に形成され、こま１０の上部材１１の円板１１ａの外周近傍の上面を支持可能な突起２９を有している。ここで、取手部分２１は全体が偏平な形をしており、その周縁に補強のためのリブを形成している。また、下支持板２３に形成しているギヤ挿入開口２７は、少なくとも下支持板の先端側に円弧状の縁２７ａを備えている。この円弧状の縁２７ａは、ギヤ１３をギヤ挿入開口２７内の所定位置に挿入した時、そのギヤ１３との間に微小な間隙が形成されるように設けられており、ハンドル２０に保持させたこま１０の軸線がハンドル２０の先端側に傾いたとき、その縁２７ａでギヤ１３の周面を支持することができる。
【００１４】
図１、図２において、プル３０は、ギヤ１３に噛み合うラック３１とつまみ３２を備えたものであり、これも、樹脂（例えば、ＰＰ、ＰＥ、ナイロン、ＰＯＭ、ＡＢＳ等）の成形等によって一体構造に作られる。ここで、ラック３１の厚さ（歯先から背面までの距離）は、図２に示すように、ハンドル２０にこま１０を保持させた状態で、そのこま１０のギヤ１３とハンドル２０のプル支持用の突起２５との間にラック３１を位置させ、そのラック３１をギヤ１３に噛み合わせた時、そのラック３１の背面にプル支持用の突起２５が軽く接触し、従って、ラック３１をギヤ１３に噛み合わせた状態でそのラック３１をＢ矢印方向に引き抜くことができるように定められている。
【００１５】
このこま玩具で遊ぶ時は、図２に示すように、こま１０の上面側の軸１１ｂをハンドル２０の下支持板２３側から上支持板２２の軸支持穴２６に挿入し、且つこま１０の円板１１ａを下支持板２３に押し付け、これによってギア１３を上下支持板２２、２３の間に位置させ、その前後にプル３０のラック３１を上下支持板２２、２３の間に差し込んでギア１３にかみ合わせる。このギア１３とラック３１のかみ合いにより、ハンドル２０を、下支持板２３が下側となる状態で水平としても、こま１０がハンドル２０から抜け落ちることはない。次に、この状態でプル３０を矢印Ｂ方向に引き抜く。これにより、こま１０が回転させられ、ハンドル２０から下方に抜けて床面、机上面等の上に落ち、そこで回転することとなる。
【００１６】
ここで、図２（ｂ）に示すように、ハンドル２０の上支持板２２と下支持板２３にこま１０を保持させ且つプル３０のラック３１にかみ合わせ、そのプル３０を引き抜いてこま１０を回転させる際、そのラック３１がこま１０に横方向の力を作用させ、こま１０は軸１１ｂの軸支持穴２６に挿入している部分を支点として矢印Ｃで示す方向に傾く傾向がある。このため、こま１０の円板１１ａが下支持板２３を上に押し上げようとするが、下支持板２３は先端が連結部２８で上支持板２２に連結され、剛性が高くなっているので、たわむことはなく、安定してこま１０を一定の姿勢に保つことができる。また、こま１０が矢印Ｃ方向に傾こうとした時、下支持板先端に形成している突起２９が、こま１０の円板１１ａの外周近傍の上面を支持するので、こま１０の傾きが抑制され、これによってもこま１０を安定して一定の姿勢に保つことができる。このため、こま１０はハンドル２０に保持された状態で安定して回転できる。また、プル３０のラック３１をこま１０のギヤ１３に噛み合わせた状態で引き抜いてこま１０を回転させる際、そのラック３１の背面はハンドル２０に形成しているプル支持用の突起２５で支持されており、このため、点接触に近い状態でラック３１が支持されるため、プル引き抜き時の抵抗が小さく、容易にプル３０を引き抜いてこま１０を高速で回転させることができる。かくして、容易にこま１０を高速で回転させ、床面等に下ろして回転させ、遊ぶことができる。
【００１７】
【発明の効果】
以上のように、本発明のこま玩具は、こまをハンドルに保持させ、プルを引き抜くという簡単な操作で、こまを安定して高速回転させ、床面、机上面等の平坦な面の上に下ろすことができ、こまを回して楽しく遊ぶことができるという効果を有している。また、こま玩具を構成するハンドル、プル、及びこまを構成する上部材、下部材、ギヤはいずれも比較的簡単な形状で樹脂の成形で容易に製造できるので、安価であるという効果も有している。
【図面の簡単な説明】
【図１】本発明の一実施例によるこま玩具の概略斜視図
【図２】そのこま玩具を、こまを回す時の状態で示すもので、（ａ）は概略平面図、（ｂ）は概略断面図、（ｃ）は（ｂ）のＡ−Ａ矢視概略断面図
【図３】こま１０を示すもので、（ａ）は概略側面図、（ｂ）は概略平面図
【図４】こま１０を分解して示す概略断面図
【図５】こまの上部材の概略斜視図
【図６】こまの下部材の概略斜視図
【図７】こまの上部材の変形例を示す概略斜視図
【図８】ハンドル２０を示すもので、（ａ）は概略平面図、（ｂ）は概略側面図、（ｃ）は概略断面図、（ｄ）は概略底面図
【符号の説明】
１  こま玩具
１０  こま
１１  上部材
１１ａ  円板
１１ｂ、１１ｃ  軸
１１ｄ  角柱部分
１２  下部材
１３  ギヤ
２０  ハンドル
２０ａ  取手部分
２２  上支持板
２３  下支持板
２５  プル支持用の突起
２６  軸支持穴
２７  ギヤ挿入開口
２８  連結部
２９  突起
３０  プル
３１  ラック
【図１】
0003838763.tif 000002
【図２】
0003838763.tif 000003
【図３】
0003838763.tif 000004
【図４】
0003838763.tif 000005
【図５】
0003838763.tif 000006
【図６】
0003838763.tif 000007
【図７】
0003838763.tif 000008
【図８】
0003838763.tif 000009